(57)【特許請求の範囲】
【請求項１】
表示画面と、
メニュー毎に設けられて各メニューの情報を含む複数の個別領域を、前記表示画面において所定のレイアウトで配置する第１表示手段と、
前記表示画面において前記個別領域を非表示にする指示を受け付ける第１受付手段と、
前記所定のレイアウトで配置される前記複数の個別領域のうち、前記第１受付手段が受け付けた指示の対象となる前記個別領域を、前記表示画面において非表示にする第２表示手段とを含み、
前記第１受付手段は、前記個別領域毎に存在し、前記表示画面において対応する前記個別領域に設けられている、表示装置。
【請求項２】
前記第２表示手段によって非表示にされる前記個別領域に対応するメニューは、販売終了になったメニューおよび販売開始前のメニューの少なくともいずれかを含む、請求項１に記載の表示装置。
【請求項３】
前記表示画面において非表示にされた前記個別領域を表示する指示を受け付ける第２受付手段を含み、
前記第２表示手段は、前記第２受付手段が受け付けた指示の対象となる前記個別領域を前記表示画面に表示する、請求項１または２に記載の表示装置。
【請求項４】
前記第２表示手段は、前記表示画面における各前記個別領域の表示および非表示を所定のタイミングにおいて切り替える、請求項３に記載の表示装置。
【請求項５】
前記個別領域と別の前記個別領域とを前記表示画面において配置替えする指示を受け付ける第３受付手段と、
前記第３受付手段が受け付けた配置替えの指示の対象となる前記個別領域同士を、前記表示画面において配置替えする第３表示手段とを含む、請求項１〜４のいずれか一項に記載の表示装置。
【請求項６】
前記表示画面に設けられたタッチパネルを含み、
前記第３受付手段は、前記表示画面において前記個別領域から別の前記個別領域へのドラッグアンドドロップ操作を、前記配置替えの指示として受け付ける、請求項５に記載の表示装置。
【請求項７】
各前記個別領域は、メニューを選択するために操作されるタッチキーを含む、請求項６に記載の表示装置。
【請求項８】
前記個別領域を前記表示画面の空き領域へ移動させる指示を受け付ける第４受付手段と、
前記第４受付手段が受け付けた指示の対象となる前記個別領域を、前記空き領域へ移動させる第４表示手段とを含む、請求項１〜７のいずれか一項に記載の表示装置。
【請求項９】
前記指示の受け付けの際に、前記指示以外の入力を無効にする無効手段を含む、請求項１〜８のいずれか一項に記載の表示装置。
【請求項１０】
売り切れになったメニューの選択を受け付ける第５受付手段と、
前記第５受付手段が受け付けた選択の対象となる売り切れのメニューに対応する表示中の前記個別領域に、売り切れの旨を表示する第５表示手段とを含む、請求項１〜９のいずれか一項に記載の表示装置。
【発明の詳細な説明】
【技術分野】
【０００１】
この発明は、表示装置に関する。
【背景技術】
【０００２】
下記特許文献１の食券販売機は、メニューに係るアイテムを複数表示するタッチパネルディスプレイを有する。アイテムが売り切れた場合には、タッチパネルディスプレイは、売り切れのアイテムの表示をカラー表示からモノクロ表示に変更する等によって、売り切れのアイテムを他のアイテムと区別できるように表示変更する。
【先行技術文献】
【特許文献】
【０００３】
【特許文献１】特開２０１０−２０４８２０号公報
【発明の概要】
【発明が解決しようとする課題】
【０００４】
例えば外食チェーンが特許文献１の食券販売機を運用する場合には、タッチパネルディスプレイにおける表示内容についての設定データが、外食チェーンの本部において作成されてから、各店舗へ配信されて各店舗の食券販売機に入力される。メニューが旧メニューから新メニューへ切り替わる時期には、旧メニューおよび新メニューの両方の情報を含んだ設定データが各店舗に配信されて、食券販売機のタッチパネルディスプレイには、旧メニューおよび新メニューの両方のアイテムが混在して表示されることが想定される。
【０００５】
タッチパネルディスプレイに旧メニューおよび新メニューの両方のアイテムが混在して表示される場合、旧メニューの在庫が残っている店舗では、販売前の新メニューのアイテムが、新メニューなのにタッチパネルディスプレイでは売り切れとして表示されるので、表示内容が紛らわしくて見栄えが悪い。かといって、旧メニューおよび新メニューのそれぞれに応じて設定データを別々に用意して、旧メニューのアイテムと新メニューのアイテムとをタッチパネルディスプレイにおいて画面を替えて別々に表示するのであれば、必要な設定データが膨大となる。また、各店舗の現場におけるアルバイト従業員やパート従業員が、在庫がなくなった旧メニューのアイテムがタッチパネルディスプレイに表示されないように設定データ自体を変更する作業を行うことは、その作業の難易度から見て現実的でない。また、この作業の際に、食券販売機において変更されるべきでないデータが誤って変更されてしまう虞もある。
【０００６】
そこで、タッチパネルディスプレイにおける旧メニューから新メニューへの表示の切り替えを、各店舗における旧メニューの在庫状況に応じて現場において簡単かつ問題なく実施でき、タッチパネルディスプレイに複数のメニューを見栄えよく表示できることが望まれる。
【０００７】
この発明は、かかる背景のもとでなされたもので、表示画面におけるメニューの表示についての見栄えの向上を図れる表示装置を提供することを目的とする。また、この発明は、表示画面においてメニューの表示設定を行う際における利便性の向上を図れる表示装置を提供することを別の目的とする。
【課題を解決するための手段】
【０００８】
本発明は、表示画面と、メニュー毎に設けられて各メニューの情報を含む複数の個別領域を、前記表示画面において所定のレイアウトで配置する第１表示手段と、前記表示画面において前記個別領域を非表示にする指示を受け付ける第１受付手段と、前記所定のレイアウトで配置される前記複数の個別領域のうち、前記第１受付手段が受け付けた指示の対象となる前記個別領域を、前記表示画面において非表示にする第２表示手段とを含む、表示装置である。
【０００９】
また、本発明は、前記第２表示手段によって非表示にされる前記個別領域に対応するメニューは、販売終了になったメニューおよび販売開始前のメニューの少なくともいずれかを含むことを特徴とする。
【００１０】
また、本発明は、前記第１受付手段は、前記個別領域毎に存在し、前記表示画面において対応する前記個別領域に設けられていることを特徴とする。
【００１１】
また、本発明は、前記表示画面において非表示にされた前記個別領域を表示する指示を受け付ける第２受付手段を含み、前記第２表示手段は、前記第２受付手段が受け付けた指示の対象となる前記個別領域を前記表示画面に表示することを特徴とする。
【００１２】
また、本発明は、前記第２表示手段は、前記表示画面における各前記個別領域の表示および非表示を所定のタイミングにおいて切り替えることを特徴とする。
【００１３】
また、本発明は、前記個別領域と別の前記個別領域とを前記表示画面において配置替えする指示を受け付ける第３受付手段と、前記第３受付手段が受け付けた配置替えの指示の対象となる前記個別領域同士を、前記表示画面において配置替えする第３表示手段とを含むことを特徴とする。
【００１４】
また、本発明は、前記表示画面に設けられたタッチパネルを含み、前記第３受付手段は、前記表示画面において前記個別領域から別の前記個別領域へのドラッグアンドドロップ操作を、前記配置替えの指示として受け付けることを特徴とする。
【００１５】
また、本発明は、各前記個別領域は、メニューを選択するために操作されるタッチキーを含むことを特徴とする。
【００１６】
また、本発明は、前記個別領域を前記表示画面の空き領域へ移動させる指示を受け付ける第４受付手段と、前記第４受付手段が受け付けた指示の対象となる前記個別領域を、前記空き領域へ移動させる第４表示手段とを含むことを特徴とする。
【００１７】
また、本発明は、前記指示の受け付けの際に、前記指示以外の入力を無効にする無効手段を含むことを特徴とする。
【００１８】
また、本発明は、売り切れになったメニューの選択を受け付ける第５受付手段と、前記第５受付手段が受け付けた選択の対象となる売り切れのメニューに対応する表示中の前記個別領域に、売り切れの旨を表示する第５表示手段とを含むことを特徴とする。
【発明の効果】
【００１９】
本発明によれば、表示装置では、第１表示手段が、メニュー毎に設けられた複数の個別領域を、表示画面において所定のレイアウトで配置する。表示装置では、第１受付手段が個別領域を非表示にする指示を受け付けると、第２表示手段が、所定のレイアウトで配置される複数の個別領域のうち、当該指示の対象となる個別領域を表示画面において非表示にする。これにより、例えば、販売終了になったメニューや販売開始前のメニューの個別領域を非表示にすれば、現状では販売されないこれらのメニューが表示画面に表示されることによって表示画面の表示内容が紛らわしくなることを防止できるので、表示画面におけるメニューの表示についての見栄えの向上を図れる。
また、表示装置を管理する係員は、所望の個別領域を非表示にする指示を第１受付手段に受け付けさせるだけの簡単な操作によって、当該個別領域が表示画面において非表示になるように設定できる。これにより、表示画面においてメニューの表示設定を行う際における利便性の向上を図れる。
【図面の簡単な説明】
【００２０】
【図１】図１は、本発明の一実施形態に係る表示装置の正面図である。
【図２】図２は、表示装置の電気的構成を示すブロック図である。
【図３】図３は、表示装置の表示画面に表示された販売画面を示す模式図である。
【図４】図４は、表示画面に表示された係員画面を示す模式図である。
【図５】図５は、変形例に係る係員画面を示す模式図である。
【図６】図６は、設定後の販売画面についての第１実施例を示す模式図である。
【図７】図７は、設定後の販売画面についての第２実施例を示す模式図である。
【図８】図８は、設定後の販売画面についての第３実施例を示す模式図である。
【発明を実施するための形態】
【００２１】
以下には、図面を参照して、この発明の実施形態について具体的に説明する。図１は、本発明の一実施形態に係る表示装置１の正面図である。表示装置１の一例は、飲食店の入口付近に設置された食券自動販売機（いわゆる券売機）である。この実施形態における飲食店は、外食チェーンを構成する各店舗である。図１での姿勢を基準として、表示装置１は、縦長のボックス形状であり、その正面の上側には、表示装置１の幅方向（図１の左右方向）に長手の矩形状をなす表示画面２が設けられている。この実施形態における表示画面２は、表示画面２とほぼ同じ大きさの矩形状に形成された透明のタッチパネル３を有する液晶表示ディスプレー（ＬＣＤ）である。タッチパネル３は、第１受付手段、第２受付手段、第３受付手段、第４受付手段および第５受付手段として機能し、表示画面２の表面を覆うように表示画面２上に積層されている。
【００２２】
表示装置１の正面において表示画面２に下から隣接する位置には、左右方向に細長く正面側へ膨出した膨出部４が設けられている。膨出部４の上側正面の左端部には、表示装置１を管理する係員（例えば飲食店の従業員）を呼び出すための呼出ボタン５が設けられている。膨出部４の上側正面において左右方向における略中央位置には、硬貨を投入するための硬貨投入口６が設けられている。膨出部４の上側正面において硬貨投入口６の右隣には、表示装置１において進行中の処理を取り消すための取消ボタン７が設けられている。膨出部４の上側正面において取消ボタン７の右隣には、紙幣を投入するための紙幣入金口８が設けられ、膨出部４の下側正面において紙幣入金口８に下隣には、紙幣を排出するための紙幣出金口９が設けられている。
【００２３】
表示装置１の正面において膨出部４の下隣の左側には、食券を取り出すための取出口１０が設けられ、取出口１０の右隣には、返却された硬貨を取り出すための返却口１１が設けられている。表示装置１の正面において返却口１１の上隣（膨出部４と返却口１１との間の位置）には、人体検知センサ１２が取り付けられている。なお、表示装置１の正面における表示画面２、膨出部４、呼出ボタン５、硬貨投入口６、取消ボタン７、紙幣入金口８、紙幣出金口９、取出口１０、返却口１１および人体検知センサ１２等の各部材のレイアウトは、任意の変更できる。
【００２４】
表示装置１で食券を購入したい利用客は、まず、表示装置１の正面に立つ。すると、人体検知センサ１２が、この利用客の気配を検知し、人体検知センサ１２による検知に応じて、例えば今まで休止状態にあった表示装置１が起動して待機状態となる。また、このときの表示画面２には、複数のメニューの情報を含んだカラーの販売画面２０が表示される。販売画面２０を見た利用客は、表示画面２のタッチパネル３を操作して所望のメニューを選択し、そのメニューの代金としての現金を硬貨投入口６および紙幣入金口８の少なくともいずれかに投入する。ここで、取消ボタン７を押せば、今までの操作を取り消して、最初からやり直すことができる。また、投入した現金が表示装置１内部で詰まった等の不具合があれば、利用客は、呼出ボタン５を押すことによって係員を呼び出すことができる。そして、決済の後に、選択したメニューが印字された食券が取出口１０に発行される。また、釣銭が紙幣出金口９や返却口１１から返却される。利用客は、取出口１０から取り出した食券を持って飲食店内の調理カウンタ等に向かい、調理カウンタにおいて、食券と引き換えに、所望のメニューの料理を受け取る。
【００２５】
図２は、表示装置１の電気的構成を示すブロック図である。表示装置１は、制御部２１と、制御部２１に対して電気的に接続されたメモリ部２２、貨幣処理部２３、発券部２４、第１Ｉ／Ｆ（インターフェース）部２５および第２Ｉ／Ｆ部２６とをさらに含む。制御部２１は、ＣＰＵやＲＯＭ等を含んだマイクロコンピュータ等によって構成されていて、第１受付手段、第２受付手段、第３受付手段、第４受付手段、第５受付手段、第１表示手段、第２表示手段、第３表示手段、第４表示手段、第５表示手段および無効手段として機能する。前述した表示画面２、タッチパネル３、取消ボタン７および人体検知センサ１２は、制御部２１に対して電気的に接続されていて、制御部２１は、表示画面２における表示を制御したり、利用客や係員によるタッチパネル３の操作や、利用客による取消ボタン７の操作を受け付けたりする。人体検知センサ１２による利用客の検知結果は、制御部２１に入力される。
【００２６】
メモリ部２２は、表示装置１が設置された飲食店で取り扱われる各メニューの情報等を記憶している。各メニューの情報は、メニュー名と、メニューの料理についての画像と、メニューの値段等とを含む。
【００２７】
貨幣処理部２３は、硬貨投入口６や紙幣入金口８（図１参照）に投入された現金（紙幣や硬貨）を表示装置１の内部に取り込む構成や、取り込んだ現金の金種および真贋を識別する構成や、釣銭等の返却用の現金を紙幣出金口９や返却口１１（図１参照）に排出する構成等を含む。制御部２１は、利用客によって選択されたメニューの代金を、投入された現金から差し引くことによって、当該メニューの決済を行う。なお、制御部２１には、非接触ＩＣカードユニット２７が接続されてもよい。制御部２１は、非接触ＩＣカードユニット２７によって、電子マネー機能付きのＩＣカードと通信し、当該ＩＣカードに関連付けられた電子マネーでメニューを決済することもできる。
【００２８】
発券部２４は、メニューの決済の完了に応じて、食券に、利用客が購入したメニューに関する必要な情報を印字して、この食券を取出口１０（図１参照）に発行する構成等を含む。制御部２１は、第１Ｉ／Ｆ部２５を介してネットワーク（図示せず）に接続されており、飲食店に設けられた管理装置（図示せず）や、外食チェーンにおいて飲食店とは別の場所にある本部に設けられた管理装置（図示せず）とネットワーク経由で通信することができる。第２Ｉ／Ｆ部２６は、ＵＳＢメモリ等の携帯型記憶媒体（図示せず）が差し込まれるスロット（図示せず）を有する。制御部２１は、スロットに差し込まれることによって第２Ｉ／Ｆ部２６に接続された携帯型記憶媒体に記憶された情報を読み取って、メモリ部２２に記憶させることができる。
【００２９】
次に、表示画面２における表示内容について詳しく説明する。図３は、表示画面２に表示された販売画面２０を示す模式図である。図３では、制御部２１は、表示画面２の全域に亘って販売画面２０を表示している。図３の状態を基準として、例えば販売画面２０の上端部の左側における横長のガイダンス表示領域３０には、「お好みのメニューを選んで［購入］を押して下さい」という案内文を表示されている。販売画面２０においてガイダンス表示領域３０より下側の位置には、メニューの一覧を示したメニュー表示領域３１が設けられている。メニュー表示領域３１は、販売画面２０においてガイダンス表示領域３０よりも下側の領域のほぼ全域に亘る大きさを有した略矩形状の領域である。
【００３０】
メニュー表示領域３１には、メニュー毎に設けられた複数（図３では１２個）の個別領域３２が表示されている。各個別領域３２は、例えば略矩形状に形成されていて、対応するメニューの情報を含む。具体的に、各個別領域３２には、対応するメニューの情報として、そのメニューの料理についての画像とメニュー名と値段とが、上からこの順番で並んで表示されている。個別領域３２には、その大きさの違いに応じて例えば３つの種類があり、具体的に、個別領域３２は、最も大きい大個別領域３２Ａと、大個別領域３２Ａの次に大きい中個別領域３２Ｂと、最も小さい小個別領域３２Ｃとを含む。図３では、スペシャルうどんおよびデラックスうどんの個別領域３２は、大個別領域３２Ａであり、かけうどん、月見うどん、わかめうどん、肉うどん、きつねうどん、たぬきうどん、カレーうどんおよび天ぷらうどんの個別領域３２は、中個別領域３２Ｂであり、おにぎりおよびゆでたまごの個別領域３２は、小個別領域３２Ｃである。
【００３１】
なお、図３のメニュー表示領域３１は、主にうどんのグループに属するメニューについてのメニュー表示領域３１である。メニュー表示領域３１は、１つだけ存在してもよいが、うどん以外のグループに応じて複数存在してもよい。メニュー表示領域３１が複数存在する場合には、利用客が、例えば販売画面２０においてタッチキーとして設けられたタブ（図示せず）を操作することによって、制御部２１は、メニュー表示領域３１を販売画面２０に１つずつ切り替えて表示させる。
【００３２】
図３に示すように、制御部２１は、複数の個別領域３２を、販売画面２０のメニュー表示領域３１において所定のレイアウトで配置している。所定のレイアウトとは、各個別領域３２についての大体の配置位置についてのレイアウトであり、一例として、図３に示すように大個別領域３２Ａが左右に並んで、中個別領域３２Ｂが大個別領域３２Ａの下側において上下２列をなして並んで、小個別領域３２Ｃが大個別領域３２Ａの右隣において上下に並ぶというようなレイアウトである。このレイアウトの場合には、メニュー表示領域３１において２つの大個別領域３２Ａよりも左側に、デッドスペースをなす空き領域３３が発生している。このレイアウトの情報と、前述した各メニューの情報とは、設定データとして、メモリ部２２に記憶されている。設定データは、メニュー毎に食券に印刷する内容も含む。外食チェーンの場合、設定データは、全店舗共通の設定データとして本部で作成された後に、ネットワーク経由で各店舗にオンライン配信されて、第１Ｉ／Ｆ部２５から表示装置１に入力されたり、前述した携帯型記憶媒体によって各店舗に持ち出されて、第２Ｉ／Ｆ部２６から表示装置１に入力されたりする（図２参照）。
【００３３】
各個別領域３２は、メニューを選択するために利用客によって操作されるタッチキーを含む。具体的には、それぞれの個別領域３２が、１つのタッチキーになっている。これにより、表示装置１の利用客は、購入したいメニューに対応する個別領域３２のタッチキーを操作するだけで、購入したいメニューを選択できる。
【００３４】
販売画面２０においてメニュー表示領域３１の右隣には、縦長の選択内容表示領域３５が設けられている。選択内容表示領域３５には、その上端部に、「ご選択内容」という見出しが表示され、この見出しの下側に、利用客によりメニュー表示領域３１における個別領域３２のタッチによって購入が選択されたメニューを示す確認アイコン３６が、表示される。確認アイコン３６は、選択された１つのメニューに対応しており、利用客によって複数のメニューが選択されたのであれば、制御部２１は、メニューの数に応じた数の確認アイコン３６を、選択された順に上から並ぶように選択内容表示領域３５に表示させる。各確認アイコン３６は、横長の矩形の枠で区画されていて、各確認アイコン３６において、例えば、左半分にはメニューの料理の画像が表示され、略右半分にはメニュー名および値段が表示される。
【００３５】
各確認アイコン３６の左上の隅には、クリアボタン３７が表示されている。なお、クリアボタン３７は、タッチパネル３によって構成されたタッチキーである（後述する他のボタンについても同様）。選択を取り消したいメニューがある利用客は、そのメニューについての確認アイコン３６のクリアボタン３７を押す。すると、制御部２１は、この確認アイコン３６が選択内容表示領域３５から消去する。これにより、このメニューの選択がキャンセルされる。また、販売画面２０において選択内容表示領域３５の下隣には、「すべて取消」との文字を含んだリセットボタン３８が表示されている。選択した全てのメニューについての選択を取り消したい利用客は、リセットボタン３８を押す。すると、制御部２１は、選択内容表示領域３５にあった全ての確認アイコン３６を消去する。これにより、全てのメニューの選択がキャンセルされる。なお、利用客が取消ボタン７（図１参照）を押した場合にも、制御部２１は、利用客による全てのメニューの選択をキャンセルする。
【００３６】
販売画面２０において選択内容表示領域３５の上隣には、矩形状をなす金額表示領域３９が設けられている。金額表示領域３９の左側には、「入金額」という見出しと、「合計金額」という見出しと、「おつり」という見出しとが上側からこの順番で表示される。金額表示領域３９において「入金額」の見出しの右隣には、前述した硬貨投入口６や紙幣入金口８（図１参照）に投入された現金の総額（図３では５０００円）が表示される。「合計金額」の見出しの右隣に、選択内容表示領域３５に表示されたメニューの値段の総額（図３では９５０円）が表示される。「おつり」の見出しの右隣には、入金額から合計金額を差し引いた金額（図３では４０５０円）が表示される。
【００３７】
販売画面２０においてリセットボタン３８の下隣には、購入ボタン４０が設けられている。図３のように、メニューが選択されて、当該メニューの確認アイコン３６が選択内容表示領域３５に表示され、さらに、入金額が合計金額以上になっている状態において、利用客が購入ボタン４０を押すと、制御部２１は、選択されたメニューについて決済する。決済の完了に応じて、制御部２１は、選択されたメニューについての食券を取出口１０（図１参照）に発行し、釣銭を紙幣出金口９や返却口１１（図１参照）に排出する。
【００３８】
飲食店では、時間の経過とともにメニューの売り切れが発生する場合がある。また、メニューには、在庫が無くなり次第に販売終了になる旧メニューと、販売終了になった旧メニューの代わりに新しく販売が開始される新メニューと、旧メニューおよび新メニュー以外の定番メニューとがある。メニューが旧メニューから新メニューへ切り替わる過渡期には、前述した設定データに旧メニューおよび新メニューの両方の情報が記憶されている。そのため、定番メニューについての個別領域３２とともに、旧メニューについての個別領域３２と新メニューについての個別領域３２とが混在した状態で、販売画面２０に表示される場合がある。旧メニューには、飲食店における在庫がまだ残っている旧メニューもあれば、売り切れに伴って完全になくなって営業時間中に販売終了になる旧メニューもある。また、新メニューには、対応する旧メニューの在庫がまだ残っているために、販売開始されていない新メニューもある。
【００３９】
このように売り切れのメニューや、販売終了のメニューや、販売開始前のメニューが存在する場合に、これらの販売対象外のメニュー（特に販売終了のメニューおよび販売開始前のメニュー）の個別領域３２が販売画面２０に表示されていると、販売画面２０を見る利用客にとって紛らわしく見栄えが悪い。そこで、表示装置１では、販売画面２０が表示される表示画面２の表示内容を変更することができる。
【００４０】
表示画面２の表示内容を変更するために、係員は、表示装置１に所定の操作をする。所定の操作として、係員が、表示装置１の表面に設けられた錠４５の表面の鍵穴４５Ａ（図１参照）に専用の鍵を差し込んで捻ったり、表示画面２の隅などに設けられたボタン（図示せず）にタッチしたりする。当該所定の操作に応じて、制御部２１は、表示装置１を設定モードにして、表示画面２に、販売画面２０でなく、図４に示すように販売画面２０とほぼ同じ大きさの係員画面５０を表示させる。係員画面５０には、販売画面２０と同様にメニュー表示領域３１が設けられ、このメニュー表示領域３１には、複数の個別領域３２と空き領域３３とが、最新の販売画面２０（図３参照）と同じレイアウトで表示されていて、各個別領域３２が１つのタッチキーになっている。係員画面５０においてメニュー表示領域３１の右隣には、売切設定ボタン５１と、第１受付手段の一例としての表示設定ボタン５２と、画面切替ボタン５３とが上下に並んで表示されている。
【００４１】
この実施形態において、デラックスうどんが、定番メニューであるものの売り切れになり、かけうどんが旧メニューであって売り切れ（この場合は販売終了）になり、肉うどんとたぬきうどんが販売開始前の新メニューであるとする。売り切れになったデラックスうどんに関し、係員は、タッチパネル３において、デラックスうどんの個別領域３２と、売切設定ボタン５１とにタッチする。係員は、個別領域３２および売切設定ボタン５１のうち、両方に同時にタッチしてもよいし、一方に先にタッチしてから他方にタッチしてもよい。また、売り切れのメニューが複数ある場合には、係員は、売切設定ボタン５１に一度だけタッチした後に、対象となる複数の個別領域３２にタッチすればよく、この場合、売切設定ボタン５１に何度もタッチせずに済む。いずれの場合であっても、制御部２１は、売り切れになったメニューの選択を、タッチパネル３における当該メニューの個別領域３２および売切設定ボタン５１への係員によるタッチによって受け付ける。
【００４２】
図４の場合には、制御部２１は、売り切れになったメニューとして選択されたデラックスうどんの個別領域３２に、「売切」とのメッセージを含んだ売切マーク５４を重ねて表示させる。なお、売り切れのメニューについての在庫が補充された場合には、係員が、当該メニューの個別領域３２にタッチキーとして表示された売切マーク５４にタッチすると、制御部２１は、この売切マーク５４を消去する。これにより、売り切れになったメニューの販売が再開される。
【００４３】
販売終了になったかけうどん  ならびに、販売開始前の肉うどんおよびたぬきうどんの各個別領域３２は、利用客の混乱を避けるため、販売画面２０において非表示になっていることが好ましい。そこで、係員は、これらのうどんの個別領域３２を販売画面２０において非表示にするために、係員画面５０において、これらの個別領域３２と表示設定ボタン５２とにタッチする。係員は、各個別領域３２および表示設定ボタン５２のうち、両方に同時にタッチしてもよいし、一方に先にタッチしてから他方にタッチしてもよい。また、非表示にしたいメニューが複数ある場合には、係員は、表示設定ボタン５２に一度だけタッチした後に、対象となる複数の個別領域３２にタッチすればよく、この場合、表示設定ボタン５２に何度もタッチせずに済む。いずれの場合であっても、制御部２１は、タッチパネル３における特定の個別領域３２および表示設定ボタン５２への係員によるタッチによって、販売画面２０において当該特定の個別領域３２を非表示にする指示を受け付ける。そして、制御部２１は、係員画面５０において、当該特定の個別領域３２（ここでは、販売終了になったかけうどん  ならびに、販売開始前の肉うどんおよびたぬきうどんの各個別領域３２）に、「非表示」とのメッセージを含んだ非表示マーク５５を重ねて表示させる。
【００４４】
売切設定ボタン５１および表示設定ボタン５２は、メニュー表示領域３１の右隣に常に表示されなくてもよい。その場合、係員が、売り切れ、販売終了または販売開始前のメニューの個別領域３２にタッチすると、制御部２１は、係員画面５０においてタッチされた個別領域３２の上に、図５に示すポップアップ画面５６を表示させる。ポップアップ画面５６には、売切設定ボタン５１および表示設定ボタン５２が含まれている。つまり、売切設定ボタン５１および表示設定ボタン５２は、個別領域３２毎に存在し、係員画面５０において対応する個別領域３２に設けられている。係員が売切設定ボタン５１または表示設定ボタン５２にタッチすると、制御部２１は、ポップアップ画面５６の下の個別領域３２に売切マーク５４または非表示マーク５５を表示させるとともに、ポップアップ画面５６を消去する（図４のデラックスうどんや肉うどんの個別領域３２を参照）。なお、売切マーク５４または非表示マーク５５が個別領域３２に表示されるタイミングと、ポップアップ画面５６が個別領域３２から消去されるタイミングとは、同じであってもよいし、前後してもよい。
【００４５】
なお、前述したようにメニューのグループが複数存在することによってメニュー表示領域３１が複数存在する場合には、係員は、画面切替ボタン５３にタッチすることによって、メニュー表示領域３１を係員画面５０に１つずつ切り替えて表示させ、目的のメニュー表示領域３１を係員画面５０に表示させる。
【００４６】
係員は、以上のように売り切れのメニューの個別領域３２に売切マーク５４を表示させたり、販売終了または販売開始前のメニューの個別領域３２に非表示マーク５５を表示させたりした後に、前述した鍵穴４５Ａ（図１参照）に差し込んでいた専用の鍵を元の位置まで捩じる。すると、制御部２１は、表示装置１を設定モードから待機モードに戻し、表示画面２において、今までの係員画面５０でなく、図６に示すように係員画面５０での設定を反映した最新の販売画面２０を表示させる。最新の販売画面２０において、制御部２１は、係員画面５０にて売切マーク５４が表示されたデラックスうどんの個別領域３２に、売切マーク５４と同様の売切マーク５７を表示させている。
【００４７】
つまり、制御部２１は、最新の販売画面２０において、係員画面５０にて受け付けた選択の対象となる売り切れのメニューに対応する表示中の個別領域３２に、売切マーク５７によって売り切れの旨を表示する。これにより、販売中であるものの単に売り切れになったメニューは、売り切れの旨とともに販売画面２０に引き続き表示されるので、利用客にとって表示画面２の表示内容がわかりやすくなる。そのため、表示画面２における複数のメニューの表示についての見栄えの向上を図れる。なお、制御部２１は、売り切れのメニューの個別領域３２に売切マーク５７を表示させるだけでなく、この個別領域３２の全体を、例えばグレーで塗り潰されるようにモノクロ表示にしてもよい。
【００４８】
一方、制御部２１は、係員画面５０では非表示マーク５５が表示されたかけうどん、肉うどんおよびたぬきうどんの個別領域３２（図４参照）を、最新の販売画面２０において非表示にしている。なお、図６では、非表示になった個別領域３２の輪郭を便宜上、破線で示しているが、非表示の個別領域３２では、その全域が実際には透明であり、メニューの情報（画像やメニュー名や値段）はもちろんのこと、個別領域３２の輪郭も販売画面２０にあらわれていない。また、最新の販売画面２０における各個別領域３２のレイアウトは、直前の販売画面２０における各個別領域３２のレイアウト（図３参照）と同じであるので、非表示の個別領域３２は、販売画面２０では見えないものの、直前の販売画面２０と同じ位置に存在している。つまり、制御部２１は、直前の販売画面２０において所定のレイアウトで配置される複数の個別領域３２のうち、係員画面５０にて受け付けた指示の対象となる個別領域３２を、レイアウトが同じまま、販売画面２０において非表示にする。非表示の個別領域３２に対応するメニューは、販売対象から除外される。なお、ここでのレイアウトには、販売画面２０におけるガイダンス表示領域３０、選択内容表示領域３５、リセットボタン３８、金額表示領域３９および購入ボタン４０のレイアウトが含まれてもよい。
【００４９】
図６に示すように、販売終了になったメニューや販売開始前のメニューの個別領域３２を非表示にすれば、現状では販売されないこれらのメニューが販売画面２０に表示されることによって販売画面２０の表示内容が紛らわしくなることを防止できるので、販売画面２０における複数のメニューの表示についての見栄えの向上を図れる。特に、利用客にとっては、購入できない余計なメニューが視界に入らないので、販売画面２０においてメニューを選択しやすくなる。また、係員は、非表示にしたいメニューに対応する個別領域３２のタッチキーと表示設定ボタン５２とを係員画面５０においてタッチするという簡単な操作によって、所望の個別領域３２を非表示にする指示を制御部２１に受け付けさせて、当該個別領域３２が販売画面２０において非表示になるように設定できる。これにより、各店舗では、旧メニューの在庫状況に応じた適切なタイミングにおいて、各店舗の現場の係員が、表示画面２において旧メニューから新メニューへと表示を簡単に切り替えることができる。そのため、表示画面２においてメニューの表示設定を行う際における利便性の向上を図れる。
【００５０】
個別領域３２を非表示にするための表示設定ボタン５２が、個別領域３２毎のポップアップ画面５６に設けられている場合（図５参照）には、係員は、所望の個別領域３２に設けられた表示設定ボタン５２にアクセスするだけの簡単な操作によって、当該個別領域３２が販売画面２０において非表示になるように設定できる。これにより、表示画面２においてメニューの表示設定を行う際における利便性の一層の向上を図れる。
【００５１】
係員が販売終了でも販売開始前でもないメニューの個別領域３２に非表示マーク５５を誤って表示させることにより、当該個別領域３２が販売画面２０において非表示にされる場合がある。また、販売画面２０において非表示にされた個別領域３２についてのメニューの在庫がまだ存在していることが、当該個別領域３２を販売画面２０において非表示にした後に発覚する場合もある。これらの場合において、係員が、係員画面５０において当該メニューの個別領域３２にタッチキーとして表示された非表示マーク５５（例えば図４のかけうどんの個別領域３２を参照）にタッチすると、制御部２１は、この非表示マーク５５を消去する。つまり、制御部２１は、販売画面２０において非表示にされた個別領域３２を表示する指示を、係員によるタッチパネル３の非表示マーク５５のタッチによって受け付ける。そして、制御部２１は、受け付けた指示の対象となる個別領域３２を販売画面２０に表示する（例えば図３のかけうどんの個別領域３２を参照）。つまり、販売画面２０において非表示にされた個別領域３２を、必要に応じて再表示することができる。これにより、販売画面２０においてメニューの表示設定を行う際における利便性の一層の向上を図れる。
【００５２】
また、係員は、図４に示すように係員画面５０が表示された状態において、売切マーク５４や非表示マーク５５が表示されていない個別領域３２（例えばきつねうどんの個別領域３２）を、破線の矢印Ａで示すように、非表示マーク５５が表示された個別領域３２（例えばかけうどんの個別領域３２）へ向けてタッチパネル３上にてドラッグアンドドロップしてもよい。この場合、制御部２１は、販売画面２０において表示中の個別領域３２から非表示中の別の個別領域３２へのドラッグアンドドロップ操作を、ドラッグされた表示中の個別領域３２と、当該個別領域３２がドロップされた非表示中の個別領域３２とを販売画面２０において配置替えする指示として受け付ける。そして、制御部２１は、この配置替えの指示の対象となる個別領域３２同士を（つまり、表示中の個別領域３２と非表示中の個別領域３２とを）、図７に示すように販売画面２０において配置替えする（図７のきつねうどんの個別領域３２を参照）。
【００５３】
なお、個別領域３２同士の配置替えは、同じサイズの個別領域３２間ではもちろん可能だが、異なるサイズの個別領域３２間（例えば大個別領域３２Ａと中個別領域３２Ｂとの間）でも可能であってもよい。異なるサイズの個別領域３２同士が配置替えされた場合には、制御部２１は、配置替え後のこれらの個別領域３２のサイズを、配置替え前のサイズから変更してもよい。また、配置替えは、表示中の個別領域３２と非表示中の個別領域３２との間でだけでなく、表示中の個別領域３２同士の間（表示中の個別領域３２と表示中の別の個別領域３２との間）で可能であってもよい。
【００５４】
さらに、係員は、図４に示すように係員画面５０が表示された状態において、売切マーク５４や非表示マーク５５が表示されていない個別領域３２（例えばきつねうどんの個別領域３２）を、破線の矢印Ｂで示すように、メニュー表示領域３１における空き領域３３へ向けてドラッグアンドドロップしてもよい。制御部２１は、係員による個別領域３２のタッチパネル３におけるドラッグアンドドロップ操作を、ドラッグされた表示中の個別領域３２を空き領域３３へ移動させる指示として受け付ける。そして、制御部２１は、この指示の対象となる表示中の個別領域３２を、図８に示すように販売画面２０において空き領域３３へ移動させる（図８のきつねうどんの個別領域３２を参照）。
【００５５】
このように、表示中の個別領域３２を、必要に応じて、非表示中の個別領域３２と配置替えしたり、空き領域３３へ移動させたりすることによって、販売画面２０における別の位置に移動させることができる。特に、係員は、ドラッグアンドドロップ操作という直感的で簡単な操作によって、表示中の個別領域３２を販売画面２０における別の位置に移動させることができる。これにより、表示画面２においてメニューの表示設定を行う際における利便性の一層の向上を図れる。なお、「表示中の個別領域３２」には、販売画面２０に既に表示中の個別領域３２だけでなく、販売画面２０に現在表示されていなくても今回の設定によって表示される予定の個別領域３２も含まれる。同様に、「非表示中の個別領域３２」には、販売画面２０において既に非表示となっている個別領域３２だけでなく、販売画面２０において現在表示されていても今回の設定によって非表示になる予定の個別領域３２も含まれる。
【００５６】
以上のように、係員が表示画面２における表示内容を設定する際にタッチパネル３によって入力する指示は、販売画面２０における特定の個別領域３２を非表示にする指示と、非表示になった個別領域３２を再表示する指示と、表示中の個別領域３２と非表示中の個別領域３２等とを配置替え（表示中の個別領域３２同士の配置替えも含む）する指示と、表示中の個別領域３２を空き領域３３に移動させる指示と、売切れのメニューに対応する表示中の個別領域３２に売り切れの旨を表示する指示とを含む。制御部２１は、これらの指示の受け付けの際に、これらの指示以外の入力を無効にする。そのため、表示装置１におけるメニューの表示設定とは無関係の設定内容が当該入力によって誤って変更されたり消去されたりする不具合を防止できる。これにより、係員は、表示画面２においてメニューの表示設定だけを表示画面２上で間違えなく簡単に実施できるので、表示設定を行う際における利便性の一層の向上を図れる。また、この構成であれば、外食チェーンの本部も、前述した設定データを全店舗で共通化しても、表示画面２における店舗毎の表示設定を各店舗の係員に安心して任せることができる。また、各店舗では、現場の係員が、表示画面２における表示設定を各店舗独自にカスタマイズできる。
【００５７】
この発明は、以上の実施形態の内容に限定されるものではなく、請求項に記載の範囲内において種々の変更が可能である。
【００５８】
例えば、販売画面２０において非表示にされる個別領域３２に対応するメニューは、前述した実施形態では販売終了になったメニューおよび販売開始前のメニューの両方であったが、各店舗の運用上の都合に応じて、販売終了になったメニューおよび販売開始前のメニューの少なくともいずれかを含めばよい。また、販売画面２０において、売り切れになったメニューの個別領域３２には、売切マーク５７が表示されるのでなく、この個別領域３２自体が非表示になってもよい。
【００５９】
また、係員による表示装置１に対する操作がなくても、制御部２１は、販売画面２０における各個別領域３２の表示および非表示を曜日や時間等の所定のタイミングにおいて自動で切り替えてもよい。例えば、日替わりメニューの個別領域３２を販売画面２０に一度に配置する場合において、曜日が変わるごとに、制御部２１は、販売画面２０において、該当する日替わりメニューの個別領域３２を表示させ、他の個別領域３２を非表示にする。また、別の例として、例えば、朝のメニューの個別領域３２と昼のメニューの個別領域３２とを販売画面２０に一度に配置する場合において、時間帯が朝から昼に変わると、制御部２１は、販売画面２０において、昼のメニューの個別領域３２を表示させ、朝の個別領域３２を非表示にする。これにより、表示画面２においてメニューの表示設定を行う際における利便性の一層の向上を図れる。
【００６０】
また、表示装置１のメモリ部２２において各メニューの在庫が管理されていてもよい。この場合において在庫がなくなったメニューが発生すると、このメニューが定番メニューである場合には、制御部２１は、対応する個別領域３２に売切マーク５７を表示したり、当該個別領域３２を非表示にしたりする。在庫がなくなったメニューが旧メニューである場合には、制御部２１は、このメニューの個別領域３２を非表示にするだけでもよいし、このメニューの個別領域３２の代わりに、このメニューの代わりとなる新メニューの個別領域３２を表示させてもよい。
【００６１】
また、前述した実施形態における表示装置１では、利用客が購入ボタン４０をタッチすることに応じて決済されたが、利用客による個別領域３２のタッチによってメニューを選択されると、選択したメニューについてすぐに決済されてもよい。また、決済に関し、メニューを選択する前に入金してもよいし、メニューを選択した後に入金してもよい。
【００６２】
また、表示装置１の一実施例として、食券自動販売機を例示したが、表示装置１は、映画館のチケット販売機や、駅の券売機も含み、さらに、紙のチケットを発行しないチケットレスの券売機や、発券機能や決済機能が省略されてメニューの表示機能を少なくとも有する装置も含む。なお、表示装置１の表示画面２は、カラー画面であってもよいし、モノクロ画面であってもよい。
【符号の説明】
【００６３】
１    表示装置
２    表示画面
３    タッチパネル
２１  制御部
３２  個別領域
３３  空き領域
５２  表示設定ボタン
【図１】
0006670646.tif 000002
【図２】
0006670646.tif 000003
【図３】
0006670646.tif 000004
【図４】
0006670646.tif 000005
【図５】
0006670646.tif 000006
【図６】
0006670646.tif 000007
【図７】
0006670646.tif 000008
【図８】
0006670646.tif 000009